(57)【要約】【課題】輝度センサから取得したセンサ値に基づき輝度をフィードバック制御する発光装置において、温度変化が大きい状況においても精度良く輝度を制御する。【解決手段】独立に発光を制御可能な複数の制御ブロックを有する発光部と、発光部の複数の位置における輝度を検出する複数の輝度センサと、発光部の複数の位置における温度を検出する複数の温度センサと、輝度センサと温度センサから取得するセンサ値に基づき複数の制御ブロックの輝度を算出する算出手段と、算出手段により算出された各制御ブロックの輝度に基づき各制御ブロックの発光量を制御する制御手段と、発光部の温度変化の速さを検出する検出手段と、を備え、算出手段は、複数の制御ブロックのうち発光部の温度変化の速さに応じて決められる数の制御ブロックについては、輝度センサからセンサ値を取得せずに、温度センサから取得するセンサ値に基づき輝度を算出する発光装置。【選択図】図１
2015197605.tif 000002
【特許請求の範囲】
【請求項１】
独立に発光を制御可能な複数の制御ブロックを有する発光部と、
前記発光部の複数の位置における輝度を検出する複数の輝度センサと、
前記発光部の複数の位置における温度を検出する複数の温度センサと、
前記輝度センサと前記温度センサから取得するセンサ値に基づき前記複数の制御ブロックの輝度を算出する算出手段と、
前記算出手段により算出された前記各制御ブロックの輝度に基づき前記各制御ブロックの発光量を制御する制御手段と、
前記発光部の温度変化の速さを検出する検出手段と、
を備え、
前記算出手段は、前記複数の制御ブロックのうち前記発光部の温度変化の速さに応じて決められる数の制御ブロックについては、前記輝度センサからセンサ値を取得せずに、前記温度センサから取得するセンサ値に基づき輝度を算出する発光装置。
【請求項２】
前記算出手段が前記輝度センサからセンサ値を取得して輝度を算出する制御ブロックの数は、前記発光部の温度変化が速いほど少ない請求項１に記載の発光装置。
【請求項３】
前記算出手段は、前記複数の制御ブロックのうち一部の制御ブロックについて前記輝度センサからセンサ値を取得して輝度を算出し、他の制御ブロックについて前記輝度センサからセンサ値を取得せずに輝度を算出する場合、前記一部の制御ブロックの輝度に基づき前記他の制御ブロックの輝度を算出する請求項１又は２に記載の発光装置。
【請求項４】
前記算出手段により算出された前記各制御ブロックの輝度と、当該輝度が算出されたときの前記各制御ブロックの温度と、を記憶する記憶手段を更に備え、
前記算出手段は、全ての制御ブロックについて前記輝度センサからセンサ値を取得せずに輝度を算出する場合、前記記憶手段に記憶されている輝度及び温度と、前記温度センサから取得するセンサ値とに基づき前記各制御ブロックの輝度を算出する請求項１又は２に記載の発光装置。
【請求項５】
前記算出手段は、前記発光部の温度変化の速さが第１の閾値以上である場合、全ての制御ブロックについて、前記輝度センサからセンサ値を取得せずに輝度を算出する請求項１〜４のいずれか１項に記載の発光装置。
【請求項６】
前記検出手段は、前記発光部の前記制御ブロックごとに温度変化の速さを検出し、
前記算出手段は、前記複数の制御ブロックのうちいずれかの制御ブロックにおける温度変化の速さが第１の閾値以上である場合、全ての制御ブロックについて、前記輝度センサからセンサ値を取得せずに輝度を算出する請求項５に記載の発光装置。
【請求項７】
前記算出手段は、前記発光部の温度変化の速さが第１の閾値より小さい場合、全ての制御ブロックについて、前記輝度センサからセンサ値を取得して、前記輝度センサから取得するセンサ値と前記温度センサから取得するセンサ値とに基づき輝度を算出する請求項５又は６に記載の発光装置。
【請求項８】
前記検出手段は、前記発光部の前記制御ブロックごとに温度変化の速さを検出し、
前記算出手段は、前記複数の制御ブロックの全てにおいて温度変化の速さが第１の閾値より小さい場合、全ての制御ブロックについて、前記輝度センサからセンサ値を取得して、前記輝度センサから取得するセンサ値と前記温度センサから取得するセンサ値とに基づき輝度を算出する請求項７に記載の発光装置。
【請求項９】
前記算出手段は、
前記発光部の温度変化の速さが第１の閾値以上である場合、全ての制御ブロックについて、前記輝度センサからセンサ値を取得せずに輝度を算出し、
前記発光部の温度変化の速さが第１の閾値より小さく、かつ、第１の閾値より小さい第２の閾値以上である場合、前記複数の制御ブロックのうち一部の制御ブロックについて、前記輝度センサからセンサ値を取得して、前記輝度センサから取得するセンサ値と前記温度センサから取得するセンサ値とに基づき輝度を算出する請求項１〜４のいずれか１項に記載の発光装置。
【請求項１０】
前記検出手段は、前記発光部の前記制御ブロックごとに温度変化の速さを検出し、
前記算出手段は、
前記複数の制御ブロックのうちいずれかの制御ブロックにおける温度変化の速さが第１の閾値以上である場合、全ての制御ブロックについて、前記輝度センサからセンサ値を取得せずに輝度を算出し、
前記複数の制御ブロックのうちいずれかの制御ブロックにおける温度変化の速さが第２の閾値以上である場合、前記複数の制御ブロックのうち一部の制御ブロックについて、前記輝度センサからセンサ値を取得して、前記輝度センサから取得するセンサ値と前記温度センサから取得するセンサ値とに基づき輝度を算出する請求項９に記載の発光装置。
【請求項１１】
前記算出手段は、前記発光部の温度変化の速さが第２の閾値より小さい場合、全ての制御ブロックについて、前記輝度センサからセンサ値を取得して、前記輝度センサから取得するセンサ値と前記温度センサから取得するセンサ値とに基づき輝度を算出する請求項９又は１０に記載の発光装置。
【請求項１２】
前記検出手段は、前記発光部の前記制御ブロックごとに温度変化の速さを検出し、
前記算出手段は、前記複数の制御ブロックの全てにおいて温度変化の速さが第２の閾値より小さい場合、全ての制御ブロックについて、前記輝度センサからセンサ値を取得して、前記輝度センサから取得するセンサ値と前記温度センサから取得するセンサ値とに基づき輝度を算出する請求項１１に記載の発光装置。
【請求項１３】
前記検出手段は、所定の間隔をおいて前記温度センサから取得されるセンサ値の差分に基づき前記発光部の温度変化の速さを検出する請求項１〜１２のいずれか１項に記載の発光装置。
【請求項１４】
前記発光装置の状態を示す情報を取得する取得手段を更に備え、
前記算出手段が前記輝度センサからセンサ値を取得して輝度を算出する制御ブロックの数は、前記発光装置が前記発光部の温度変化が速くなる所定の状態である場合、それ以外の場合よりも少ない請求項１〜１３のいずれか１項に記載の発光装置。
【請求項１５】
前記所定の状態は、前記発光装置が起動したとき、待機状態から復帰したとき、又は設置角度が変化したときの状態を含む請求項１４に記載の発光装置。
【請求項１６】
前記算出手段は、前記輝度センサからセンサ値を取得して前記制御ブロックの輝度を算出する場合、所定期間、当該輝度を算出する対象の制御ブロックのみ点灯させ、それ以外の制御ブロックを消灯させ、当該所定期間に前記輝度センサからセンサ値を取得する請求項１〜１５のいずれか１項に記載の発光装置。
【請求項１７】
前記算出手段は、前記輝度センサから取得するセンサ値を、前記温度センサから取得するセンサ値に応じた温度補償係数を用いて補正することにより、前記制御ブロックの輝度を算出する請求項１〜１６のいずれか１項に記載の発光装置。
【請求項１８】
請求項１〜１７のいずれか１項に記載の発光装置をバックライトとして備える画像表示装置。
【請求項１９】
独立に発光を制御可能な複数の制御ブロックを有する発光部と、
前記発光部の複数の位置における輝度を検出する複数の輝度センサと、
前記発光部の複数の位置における温度を検出する複数の温度センサと、
を備える発光装置の制御方法であって、
前記輝度センサと前記温度センサから取得するセンサ値に基づき前記複数の制御ブロックの輝度を算出する算出工程と、
前記算出工程により算出された前記各制御ブロックの輝度に基づき前記各制御ブロックの発光量を制御する制御工程と、
前記発光部の温度変化の速さを検出する検出工程と、
を有し、
前記算出工程では、前記複数の制御ブロックのうち前記発光部の温度変化の速さに応じて決められる数の制御ブロックについては、前記輝度センサからセンサ値を取得せずに、前記温度センサから取得するセンサ値に基づき輝度を算出する発光装置の制御方法。
【発明の詳細な説明】
【技術分野】
【０００１】
本発明は、発光装置及びその制御方法に関するものである。
【背景技術】
【０００２】
液晶表示装置は、電気的な制御によりバックライトからの光を遮断、透過することで画像表示を行う液晶パネルを用いた表示装置である。バックライト光源には、冷陰極管（ＣＣＦＬ（Cold Cathode Fluorescent Lamp））や発光ダイオード（ＬＥＤ（Light Emitting Diode））が採用されている。バックライト光源に使用するＬＥＤとしてはＷ（白色）
、Ｒ（赤色）、Ｇ（緑色）、Ｂ（青色）等があり、それらを単体で又は組み合わせてバックライト光源を構成する。ＬＥＤの輝度や色度の制御方法には、電流値制御やＰＷＭ（Pulse Width Modulation）制御がある。ＰＷＭ制御では、ＬＥＤの点灯期間と消灯期間の比率（デューティ比）を調整することで、輝度や色度を調整する。
【０００３】
ＬＥＤの輝度には温度特性があり、温度によって発光特性が変化する。また経年劣化により発光特性が変化する。また、個体差による発光特性のばらつきがある。そのため、バックライト筐体内に設置した輝度センサや温度センサ等の各種センサを用いたフィードバック制御により輝度を一定に維持する制御が行われる。
【０００４】
独立に発光を制御可能な複数のブロックから構成されるバックライトがある。このようなバックライトでは、ブロックごとにセンサ値に基づくフィードバック制御を行う。特許文献１には、ブロックごとのセンサ値を測定するときに、測定対象のブロック以外のブロックからの光の影響を除くため、測定対象のブロック以外のブロックを測定期間（例えば、数百マイクロ秒）において消灯することが記載されている。
【０００５】
図１９、図２０を用いて従来のセンサ値取得方法及びバックライト制御方法について説明する。図１９は、従来のバックライト部の構成及び輝度センサ値取得時のセンサ値取得順序を説明する図である。図示しない輝度センサ取得部は、バックライト部の左上のブロックからから右下のブロックに向かってブロックごとに順次、輝度センサ値を取得していく。また、図２０は、輝度センサ値取得時のバックライト部に対するＰＷＭ制御のタイミングチャートである。図示しないバックライト制御部は、１行目のブロックから１０行目のブロックへ向かって順次、ブロックを点灯させていく制御を行う。更に、図２０に示すように、輝度センサ値取得期間中はセンサ値を取得するために点灯させるブロック（測定対象ブロック）以外のブロックを消灯させる。図２０は、測定対象ブロックが１行１６列目のブロックから２行１列目のブロックへ移行する状況におけるタイミングチャートを示している。
【０００６】
このような輝度センサ値取得方法では、全てのブロックについての輝度センサ値取得を完了するのに長い時間がかかる。図１９では、説明を簡単にするためにバックライトを構成するブロック数が１０行１６列の計１６０の場合を例示したが、実際には更に多くのブロックによりバックライトが構成される場合もある。例えば、フレームレートを６０Ｈｚとし、垂直同期信号に同期して輝度センサ値を取得するとして、バックライトが６４０個のブロックから構成される場合、全てのブロックの輝度センサ値を取得するのに１０秒程度の時間を要することになる。画面の大型化によってバックライトＬＥＤの数量が増加し、それに伴って輝度センサ数も増加することが予測される。
【０００７】
また特許文献２では、プロジェクタの光源近傍の温度を検出し、検出した温度がある閾値を超えた場合、所定のデューティ比で間欠的に点灯制御している光源に対して、単位時
間当たりの点灯時間を短くするよう制御する。これにより筐体内の温度上昇を抑制することができる。
【先行技術文献】
【特許文献】
【０００８】
【特許文献１】特開２００５−１５７３１６号公報
【特許文献２】特開２０１０−３５１６６号公報
【発明の概要】
【発明が解決しようとする課題】
【０００９】
上記の従来技術では、バックライトのＬＥＤの輝度センサ値取得に時間がかかる。そのため、液晶表示装置の起動時や待機状態からの復帰時などのように、バックライト筐体内の温度変化が大きい状況では、輝度センサ値取得時と取得した輝度センサ値をフィードバック制御に適用するときとでＬＥＤ温度が大きく変わってしまう場合がある。例えば、バックライト筐体内が温度上昇している場合には、輝度センサ値取得時に比べフィードバック適用時では、ＬＥＤの温度特性によりＬＥＤ輝度が低下し、フィードバック制御しても目標輝度とならず、輝度精度が低下するという課題がある。
【００１０】
そこで本発明では、輝度センサから取得したセンサ値に基づき輝度をフィードバック制御する発光装置において、温度変化が大きい状況においても精度良く輝度を制御することを目的とする。
【課題を解決するための手段】
【００１１】
本発明は、独立に発光を制御可能な複数の制御ブロックを有する発光部と、
前記発光部の複数の位置における輝度を検出する複数の輝度センサと、
前記発光部の複数の位置における温度を検出する複数の温度センサと、
前記輝度センサと前記温度センサから取得するセンサ値に基づき前記複数の制御ブロックの輝度を算出する算出手段と、
前記算出手段により算出された前記各制御ブロックの輝度に基づき前記各制御ブロックの発光量を制御する制御手段と、
前記発光部の温度変化の速さを検出する検出手段と、
を備え、
前記算出手段は、前記複数の制御ブロックのうち前記発光部の温度変化の速さに応じて決められる数の制御ブロックについては、前記輝度センサからセンサ値を取得せずに、前記温度センサから取得するセンサ値に基づき輝度を算出する発光装置である。
【００１２】
本発明は、独立に発光を制御可能な複数の制御ブロックを有する発光部と、
前記発光部の複数の位置における輝度を検出する複数の輝度センサと、
前記発光部の複数の位置における温度を検出する複数の温度センサと、
を備える発光装置の制御方法であって、
前記輝度センサと前記温度センサから取得するセンサ値に基づき前記複数の制御ブロックの輝度を算出する算出工程と、
前記算出工程により算出された前記各制御ブロックの輝度に基づき前記各制御ブロックの発光量を制御する制御工程と、
前記発光部の温度変化の速さを検出する検出工程と、
を有し、
前記算出工程では、前記複数の制御ブロックのうち前記発光部の温度変化の速さに応じて決められる数の制御ブロックについては、前記輝度センサからセンサ値を取得せずに、前記温度センサから取得するセンサ値に基づき輝度を算出する発光装置の制御方法である。
【発明の効果】
【００１３】
本発明によれば、バックライトに設けた輝度センサから取得したセンサ値に基づき輝度をフィードバック制御する表示装置において、温度変化が大きい状況においても精度良く輝度を制御することができる。
【図面の簡単な説明】
【００１４】
【図１】実施例１のブロック図
【図２】実施例１のバックライト部の構成を説明する図
【図３】実施例１のＦＢ制御切替判定方法を説明する図
【図４】実施例１の温度補償テーブルの例
【図５】実施例１の制御値算出テーブルの例
【図６】実施例１の表示装置のバックライト制御動作を説明するフローチャート
【図７】実施例１のＦＢ１フィードバック制御動作を説明するフローチャート
【図８】実施例１のＦＢ２フィードバック制御動作を説明するフローチャート
【図９】実施例２のブロック図
【図１０】実施例２の表示装置の縦横回転動作を説明する図
【図１１】実施例２の表示装置のバックライト制御動作を説明するフローチャート
【図１２】実施例３のブロック図
【図１３】実施例３の輝度センサ値を取得する制御ブロックを示す図
【図１４】実施例３のＦＢ制御切替判定方法を説明する図
【図１５】実施例３の判定閾値の例
【図１６】実施例３の第２輝度センサ値算出テーブルの例
【図１７】実施例３の表示装置のバックライト制御動作を説明するフローチャート
【図１８】実施例３のＦＢ３フィードバック制御動作を説明するフローチャート
【図１９】従来例のバックライト部の構成及びセンサ値取得時の順序を説明する図
【図２０】従来例のバックライト部に対するＰＷＭ制御のタイミングチャート
【発明を実施するための形態】
【００１５】
（実施例１）
以下に、本発明の好ましい実施の形態を添付の図面に基づいて詳細に説明する。以下の実施例は、液晶パネルと、光源としてＬＥＤを使用するバックライトとを用いて画像表示を行う構成とする。
また、バックライトの輝度精度を向上させるために、バックライト筐体内に輝度センサ、温度センサを設置し、取得した輝度センサ値、温度センサ値を用いてバックライト発光量のフィードバック制御を実施する。
本発明の実施例１は、バックライト筐体内の単位時間当たりの温度変化量に応じて、輝度センサ値と温度センサ値とを用いるフィードバック制御と、温度センサ値から輝度値を推定し、該推定輝度値を用いるフィードバック制御とを切り替えるものである。
【００１６】
（構成の説明）
図１は、本発明の実施例１の表示装置のブロック図である。
輝度センサ部１０１は、後述するバックライト部１０８に複数設置されている。
温度センサ部１０２は、輝度センサ部１０１と同様に後述するバックライト部１０８に複数設置されている。
センサ制御部１０３は、後述するＦＢ制御切替判定部１０４から出力される制御信号に従って、輝度センサ部１０１と温度センサ部１０２の双方から、又は温度センサ部１０２のみから、センサ値を取得、保持する。実施例１では、制御信号にはＦＢ１切替制御信号とＦＢ２切替制御信号があるものとする。各制御信号の詳細は後述する。
【００１７】
センサ制御部１０３は、ＦＢ制御切替判定部１０４から出力される制御信号が、ＦＢ１切替制御信号の場合は、後述するバックライト部１０８の全制御ブロックの輝度センサ部１０１と温度センサ部１０２からセンサ値を取得、保持する。後述するように、バックライト部１０８は輝度を独立に制御可能な複数の制御ブロックから構成される。ＦＢ１切替制御信号の詳細は後述する。
【００１８】
センサ制御部１０３は、輝度センサ値を取得する制御ブロックを決定し、該当制御ブロックを後述するバックライト制御部１０７へ通知する。センサ制御部１０３は、後述するバックライト制御部１０７からの輝度センサ値取得可能信号をトリガ―とし、輝度センサ値を取得、保持する。
【００１９】
センサ制御部１０３は、輝度センサ値を取得する前に、温度センサ値を取得する。温度センサ値の取得は、バックライト部１０８の点灯制御に同期して行う必要はない。なお、実施例１では、センサ制御部１０３が全制御ブロックの温度センサ値取得後に輝度センサ値の取得を実施する例を説明する。しかし、全制御ブロックの輝度センサ値取得後に温度センサ値を取得しても良いし、輝度センサ値取得と同様に、バックライト部１０８の点灯制御に同期して温度センサ値の取得を行っても良い。
【００２０】
ここで、センサ制御部１０３は、左上の制御ブロックから右下の制御ブロックに向かう順番で順次、各制御ブロックの輝度センサ値を取得する。また、センサ制御部１０３は、左上の制御ブロックから右下の制御ブロックに向かう順番で順次、各制御ブロックの温度センサ値の取得を行う。なお、センサ値を取得する制御ブロックの順番はこの例に限られない。センサ制御部１０３は、取得した温度センサ値をＦＢ制御切替判定部１０４へ出力する。また、センサ制御部１０３は、取得した輝度センサ値と温度センサ値を輝度値算出部１０５へ出力する。センサ制御部１０３は、輝度センサ値と温度センサ値を出力後、保持している輝度センサ値と温度センサ値を消去し、センサ値の取得処理を再開する。
【００２１】
ＦＢ制御切替判定部１０４から出力される制御信号が、ＦＢ２切替制御信号の場合、センサ制御部１０３は、温度センサ部１０２のみから、後述するバックライト部１０８の全制御ブロックの温度センサ値を取得、保持する。ＦＢ２切替制御信号の詳細は後述する。
【００２２】
ここで、センサ制御部１０３は、左上の制御ブロックから左下の制御ブロックに向かう順番で順次、各制御ブロックの温度センサ値の取得を行う。センサ制御部１０３は、取得した温度センサ値をＦＢ制御切替判定部１０４、推定輝度値算出部１０６へ出力する。センサ制御部１０３は、温度センサ値を出力後、保持している温度センサ値を消去し、温度センサ値の取得処理を再開する。なお、温度センサ値の総取得時間は、バックライト部１０８の点灯制御に同期する必要がないため、輝度センサ値の総取得時間に比べ、格段に短い。ここでは、一例として、全制御ブロックの温度センサ値を取得するのに要する時間を１秒、全制御ブロックの輝度センサ値を取得するのに要する時間を１０秒とする。なお、この取得所要時間は一例であって、バックライトの構成やセンサの性能等によって所要時間は異なる。しかし、全制御ブロックの温度センサ値の取得に要する時間が全制御ブロックの輝度センサ値の取得に要する時間より短いという傾向は変わらない。
【００２３】
ＦＢ制御切替判定部１０４は、表示装置１００の起動時、又は待機状態からの復帰時は、初期設定としてＦＢ１切替制御信号をセンサ制御部１０３へ出力する。なお、実施例１では、初期設定をＦＢ１切替制御信号としたが、ＦＢ２切替制御信号に設定しても良い。
ＦＢ制御切替判定部１０４は、センサ制御部１０３から取得した温度センサ値を保持し、前回取得した温度センサ値と今回取得した温度センサ値に基づきＦＢ制御切替判定を実施する。ＦＢ制御切替判定部１０４は、ＦＢ制御切替判定の結果に応じて、センサ制御部１０３へ制御信号を出力する。なお、ＦＢ制御切替判定方法の詳細は後述する。
【００２４】
輝度値算出部１０５は、センサ制御部１０３から取得した輝度センサ値、温度センサ値に基づき、輝度センサ値を温度補償し、輝度値を算出する。輝度値算出部１０５は、算出した輝度値と、後述する輝度値算出に用いた温度補償係数を保持すると共に、算出した輝度値をバックライト制御部１０７へ出力する。また輝度値算出部１０５は、後述する推定輝度値算出部１０６から、輝度値と、後述する輝度値算出に用いた温度補償係数の出力要求があると、保持した輝度値と、後述する輝度値算出に用いた温度補償係数を推定輝度値算出部１０６へ出力する。なお、輝度値算出方法の詳細は後述する。
【００２５】
推定輝度値算出部１０６は、輝度値算出部１０５に対し、保持する輝度値と、後述する輝度値算出に用いた温度補償係数の出力要求を行う。推定輝度値算出部１０６は、輝度値算出部１０５から取得した輝度値と、後述する輝度値算出に用いた温度補償係数と、センサ制御部１０３から取得した温度センサ値とに基づき、推定輝度値を算出する。推定輝度値算出部１０６は、算出した推定輝度値をバックライト制御部１０７へ出力する。なお、推定輝度値算出方法の詳細は後述する。
【００２６】
バックライト制御部１０７は、輝度値算出部１０５から取得した輝度値、又は推定輝度値算出部１０６から取得した推定輝度値に基づき、バックライト制御値を算出する。なお、バックライト制御値算出方法は後述する。バックライト制御部１０７は、算出したバックライト制御値に基づき、バックライト部１０８の発光量を制御する。バックライト制御部１０７は、画像処理部１１１から取得した垂直同期信号をトリガ―とし、バックライト部１０８を点灯制御する。
【００２７】
バックライト制御部１０７は、センサ制御部１０３からセンサ値を取得する対象の制御ブロックを通知された場合、当該制御ブロック以外の制御ブロックを所定期間、消灯状態とし、輝度センサ値取得可能信号をセンサ制御部１０３へ通知する。ここで、消灯状態にする所定期間は、例えば１００マイクロ秒とする。なお、発光量制御の方法としては、バックライト部１０８の点灯期間を制御する方法（ＰＷＭ制御）でも良いし、点灯時にバックライト部１０８へ供給する電流量を制御する方法であっても良い。
【００２８】
バックライト部１０８は、光源として白色ＬＥＤ（以降、「ＷＬＥＤ」と表する）を用いたバックライトである。ここで図２はバックライト部１０８の構成を示す図である。図２を用いて実施例１におけるバックライト部１０８の構成を説明する。
バックライト部１０８は、複数の制御ブロックからなる発光部であり、各制御ブロックは４個のＷＬＥＤ２００を有する（図２の実線２０１で囲まれた範囲）。バックライト部１０８は、２０行３２列の合計６４０個の制御ブロックから構成される。バックライト部１０８は、４個の制御ブロック（図２の破線２０３で囲まれた範囲）の集合ごとにセンサ２０２を有し、各センサ２０２は輝度センサ部１０１及び温度センサ部１０２から構成される。つまり、輝度センサ部１０１及び温度センサ部１０２は、各々１６０個あり、センサ２０２は、センサ２０２に隣接する４個の制御ブロック（図２の破線２０３で囲まれた範囲）の輝度及び温度を検出する。
【００２９】
図１を用いた全体の説明に戻る。
画像入力部１１０には、図示しない画像信号源から出力される画像信号が入力され、入力された画像信号をデコード処理し、画像処理部１１１へ出力する。なお、デコード処理の詳細は割愛する。
画像処理部１１１は、画像入力部１１０から取得した画像信号に対し、コントラスト補正、ガンマ補正、クロマ補正、エンハンサ補正、記憶色補正等の各種画像処理を施す。なお、各種画像処理の詳細は割愛する。画像処理部１１１は、画像処理を施した画像信号を表示制御部１１２へ出力する。画像処理部１１１は、垂直同期信号をバックライト制御部
１０７へ出力する。
表示制御部１１２は、画像処理部１１１から取得した画像信号を表示部１０９へ出力し、表示部１０９を表示制御する。
【００３０】
表示部１０９は、バックライト部１０８からの光の透過率を画像信号に応じて画素ごとに調節することで画像信号に基づく画像を表示する表示パネルである。ここでは、表示部１０９は液晶素子により透過率を制御する液晶パネルであるとする。なお、表示部１０９は液晶パネルに限らない。例えば、ＭＥＭＳ（Micro Electro Mechanical System）シャ
ッターを用いたＭＥＭＳシャッター方式ディスプレイであってもよい。
【００３１】
（ＦＢ制御切替判定方法の説明）
次に、図１、図３を用いて実施例１におけるＦＢ制御切替判定方法について説明する。
ＦＢ制御切替判定部１０４は、センサ制御部１０３から取得した温度センサ値を保持し、前回取得した温度センサ値と今回取得した温度センサ値を用いて、所定の間隔をおいて取得された温度センサ値の差分を求める。、単位時間当たりの温度変化量を算出する。実施例１では、該算出した単位時間当たりの温度変化量（温度変化の速さ）に基づき、ＦＢ制御切替判定を行う。ＦＢ制御切替判定部１０４は、前回取得した温度センサ値から今回取得した温度センサ値を除算することにより温度変化量を算出する。ＦＢ制御切替判定部１０４は、全制御ブロックについて温度変化量を算出する。なお、ここでは前回取得した温度センサ値と今回取得した温度センサ値との差を求める例を説明したが、温度変化が速いか否かを判定することができる量であればこれに限らない。
【００３２】
ＦＢ制御切替判定部１０４は、算出した全制御ブロックの温度変化量の絶対値と、判定閾値を用いて、ＦＢ制御切替判定を行う。判定閾値は、算出した温度変化量に基づいて、ＦＢ制御切替を判定することができるように定められる値である。なお、判定閾値には、ＦＢ１制御時判定閾値とＦＢ２制御時判定閾値の２種類あり、ＦＢ制御切替判定部１０４は、センサ制御部１０３へ出力している制御信号に応じて、ＦＢ制御切替判定に用いる判定閾値を異ならせる。ＦＢ制御切替判定部１０４が出力する制御信号に応じて判定閾値を異ならせるのは、ＦＢ１切替制御信号出力時の温度センサ値取得周期とＦＢ２切替制御信号出力時の温度センサ値取得周期が異なるためである。ここでは、ＦＢ１切替制御信号出力時の温度センサ値取得周期を１０秒、ＦＢ２切替制御信号出力時の温度センサ値取得周期を１秒とする。なおこの周期は一例であってこれに限られない。
【００３３】
ここで図３は、ＦＢ制御切替判定部１０４の判定方法を示す図である。以下、図３を用いてＦＢ制御切替判定方法を説明する。出力制御信号３００は、判定時にＦＢ制御切替判定部１０４が出力している制御信号を示す。判定閾値３０１は、判定時にＦＢ制御切替判定部１０４が出力している制御信号に応じた、判定に用いる判定閾値を示す。
【００３４】
判定結果３０２は、算出した各制御ブロックの温度変化量の絶対値が、判定閾値以上か否かに応じて、ＦＢ制御切替判定部１０４が出力する制御信号を示す。図３に示すように、温度変化量の絶対値が判定閾値以上である制御ブロックが存在する場合、ＦＢ制御切替判定部１０４は、制御信号をＦＢ２切替制御信号に変更又は維持する。全制御ブロックの温度変化量の絶対値が判定閾値より小さい場合、ＦＢ制御切替判定部１０４は、制御信号をＦＢ１切替制御信号に変更又は維持する。
【００３５】
なお、一例として実施例１におけるＦＢ１制御時判定閾値を「５」、ＦＢ２制御時判定閾値を「０．５」とする。これは、ＦＢ１切替制御信号出力時の温度センサ値取得周期が１０秒、ＦＢ２切替制御信号出力時の温度センサ値取得周期が１秒とするとき、１０秒間で５℃以上の温度変化があるか否かを判定するものである。即ち、１０秒間で５℃以上の温度変化がある場合（温度変化の速さが第１の閾値以上である場合）、ＦＢ制御切替判定
部１０４は、ＦＢ２切替制御信号を出力する。１０秒間で５℃より小さい温度変化の場合（温度変化の速さが第１の閾値より小さい場合）、ＦＢ制御切替判定部１０４は、ＦＢ１切替制御信号を出力する。なお、実施例１では、ＦＢ１制御時判定閾値を「５」、ＦＢ２制御時判定閾値を「０．５」としたが、各々の判定閾値はこれに限定されない。
【００３６】
（輝度値算出方法の説明）
次に、図１、図４を用いて実施例１における輝度値算出方法について説明する。輝度値算出部１０５は、温度補償係数テーブルを持つ。輝度値算出部１０５は、センサ制御部１０３から取得した輝度センサ値、温度センサ値、温度補償係数テーブルに基づき、輝度値を算出する。
【００３７】
ここで図４に温度補償係数テーブルの一例を示す。温度センサ値４００は、センサ制御部１０３から取得した温度センサ値を示す。温度補償係数４０１は、温度センサ値に対応する温度補償係数を示す。図４の例では、温度補償係数４０１は、温度センサ値が２５℃の場合における輝度センサ値を「１」とした場合の各温度センサ値における輝度センサ値の相対値を示す。温度補償係数テーブルは、ＬＥＤの動作環境温度を変化させながらＬＥＤを単体点灯した場合の輝度センサ値を取得することで作成される。なお、センサ制御部１０３から取得した温度センサ値が、温度補償係数テーブルにない値である場合、輝度値算出部１０５は、温度補償係数テーブルにある温度センサ値を用いて、下記線形補間式により温度補償係数を算出する。
【数１】
2015197605.tif 000003
ここで、Ｃｇは温度補償係数テーブルにない温度補償係数を示す。
Ｃａ、Ｃａ＋１は温度補償係数テーブルにある温度補償係数を示す。
Ｔａ、Ｔａ＋１はＣａ、Ｃａ＋１にそれぞれ対応する温度センサ値を示す。
【００３８】
輝度値算出部１０５は、下記算出式を用いて全制御ブロックの輝度値を算出する。
【数２】
2015197605.tif 000004
ここで、Ｌは輝度値、Ｃは温度補償係数、ｌは輝度センサ値を示す。
【００３９】
（推定輝度値算出方法の説明）
次に、図１、図４を用いて実施例１における推定輝度値算出方法について説明する。推定輝度値算出部１０６は、輝度値算出部１０５と同様に温度補償係数テーブルを持つ。推定輝度値算出部１０６は、輝度値算出部１０５から取得した輝度値、温度補償係数と、センサ制御部１０３から取得した温度センサ値、温度補償係数テーブルに基づいて推定輝度値を算出する。なお、温度補償係数テーブルは、輝度値算出方法の説明で述べた内容と同じであるため、説明を省略する。推定輝度値算出部１０６は、下記の算出式を用いて全制御ブロックの推定輝度値を算出する。
【数３】
2015197605.tif 000005
ここで、Ｌｅは推定輝度値、Ｃｅはセンサ制御部１０３から取得した温度センサ値における温度補償係数、Ｃは輝度値算出部１０５から取得した温度補償係数、Ｌは輝度値算出部１０５から取得した輝度値を示す。
【００４０】
（バックライト制御値算出方法の説明）
次に、図１、図５を用いて実施例１におけるバックライト制御値算出方法について説明する。バックライト制御部１０７は、制御値算出テーブルを持つ。制御値算出テーブルとは、目標輝度値に対応するバックライト制御値を導出するものである。
【００４１】
図５に、制御値算出テーブルの一例を示す。制御ブロック５００は、バックライトの各制御ブロックを示す。目標輝度値５０１は、バックライトの目標輝度値を示す。目標ＰＷＭ値５０２は、目標輝度値に対応する目標ＰＷＭ値を示す。なお、制御値算出テーブルは、例えば、工場出荷時にＬＥＤを単体点灯しながら輝度センサ値を測定することで作成される。
【００４２】
バックライト制御部１０７は、制御値算出テーブルと、輝度値算出部１０５から取得する輝度値、又は推定輝度値算出部１０６から取得する推定輝度値に基づき、下記の算出式を用いて、全制御ブロックのバックライト制御値を算出する。
輝度値算出部１０５から輝度値を取得した場合は、下記の算出式を用いる。
【数４】
2015197605.tif 000006
推定輝度値算出部から推定輝度値を取得した場合は、下記の算出式を用いる。
【数５】
2015197605.tif 000007
ここで、ＰＷＭはバックライト制御値、Ｌｔａｒｇｅｔは目標輝度値、ＰＷＭｔａｒｇｅｔは目標ＰＷＭ値を示す。例えば、工場出荷時の測定では制御ブロックＢ１（１，２）において目標輝度値１０００（Ｌｔａｒｇｅｔ）を得るためにはＰＷＭ値を９９０（ＰＭＷｔａｒｇｅｔ）とすればよかった。その後の測定により、ＰＷＭ値９９０とした場合の実際の輝度値（Ｌ、Ｌｅ）は９００であったとする。この場合、目標輝度値１０００を得るためには、ＰＷＭ値９９０（ＰＭＷｔａｒｇｅｔ）を１０００／９００倍（Ｌｔａｒｇｅｔ／Ｌ、Ｌｔａｒｇｅ／Ｌｅ）の値１１００（ＰＷＭ）として駆動する必要があるということになる。
【００４３】
（全体動作の説明）
次に、図１、図６を用いて表示装置１００におけるバックライト制御動作について説明する。
センサ制御部１０３が、温度センサ部１０２から温度センサ値を取得する。（Ｓ６００）
センサ制御部１０３は、全制御ブロックの温度センサ値を取得したかを判断する。（Ｓ６０１）
全制御ブロックの温度センサ値を取得してない場合、Ｓ６００へ戻る。
【００４４】
全制御ブロックの温度センサ値を取得した場合は、センサ制御部１０３が温度センサ値をＦＢ制御切替判定部１０４へ出力する。ＦＢ制御切替判定部１０４は、前回取得した温度センサ値と今回取得した温度センサ値に基づき、制御ブロックごとに、単位時間当たりの温度変化量（温度変化の速さ）を算出する。（Ｓ６０２）
【００４５】
ＦＢ制御切替判定部１０４は、センサ制御部１０３へ出力している制御信号が、ＦＢ１切替制御信号か否かを判断する。（Ｓ６０３）
センサ制御部１０３へ出力している制御信号がＦＢ１切替制御信号である場合、ＦＢ制御切替判定部１０４は、ＦＢ１制御時判定閾値を用いてＦＢ制御切替判定を実施する。（Ｓ６０４）
センサ制御部１０３へ出力している制御信号がＦＢ２切替制御信号である場合、ＦＢ制御切替判定部１０４は、ＦＢ２制御時判定閾値を用いてＦＢ制御切替判定を実施する。（Ｓ６０５）
【００４６】
ＦＢ制御切替判定部１０４は、算出した単位時間当たりの温度変化量と判定閾値に基づき、制御ブロックごとに温度変化量が判定閾値より小さいかを判断する。（Ｓ６０６）
全制御ブロックの温度変化量が判定閾値より小さい場合、ＦＢ制御切替判定部１０４は、センサ制御部１０３へＦＢ１切替制御信号を出力する。（Ｓ６０７）
温度変化量が判定閾値以上の制御ブロックがある場合、ＦＢ制御切替判定部１０４は、センサ制御部１０３へＦＢ２切替制御信号を出力する。（Ｓ６０８）
【００４７】
センサ制御部１０３は、ＦＢ制御切替判定部１０４から取得する制御信号が、ＦＢ１切替制御信号か否かを判断する。（Ｓ６０９）
ＦＢ制御切替判定部１０４から取得する制御信号がＦＢ１切替制御信号である場合、ＦＢ１フィードバック制御が実施される。（Ｓ６１０）なお、ＦＢ１フィードバック制御の動作説明は後述する。
ＦＢ制御切替判定部１０４から取得する制御信号がＦＢ２切替制御信号である場合、ＦＢ２フィードバック制御が実施される。（Ｓ６１１）なお、ＦＢ２フィードバック制御の動作説明は後述する。
【００４８】
（ＦＢ１フィードバック制御動作の説明）
次に、図１、図７を用いてＦＢ１フィードバック制御の動作を説明する。
センサ制御部１０３は、温度センサ部１０２から温度センサ値を取得する。（Ｓ７００１）
センサ制御部１０３は、輝度センサ部１０１から輝度センサ値を取得する。（Ｓ７００２）
センサ制御部１０３は、全制御ブロックの輝度センサ値及び温度センサ値を取得したかを判断する。（Ｓ７０１）なお、Ｓ７００１の温度センサ値取得ステップの後、全制御ブロックの温度センサ値を取得したか判断し、全制御ブロックの温度センサ値を取得するまでＳ７００１を繰り返した後、Ｓ７００２に進むようにしても良い。その場合、Ｓ７０１では全制御ブロックの輝度センサ値を取得したか判断し、全制御ブロックの輝度センサ値を取得するまでＳ７００２を繰り返すようにする。
【００４９】
全制御ブロックの輝度センサ値を取得していない場合は、Ｓ７００へ戻る。
全制御ブロックの輝度センサ値を取得した場合、センサ制御部１０３は、輝度センサ値と、輝度センサ値取得前に取得した温度センサ値を輝度値算出部１０５へ出力する。（Ｓ
７０２）
輝度値算出部１０５は、センサ制御部１０３から取得した輝度センサ値ｌ、温度センサ値、温度センサ値に応じた温度補償係数Ｃに基づき、数２の式を用いて、全制御ブロックの輝度値Ｌを算出する。（Ｓ７０３）
【００５０】
輝度値算出部１０５は、算出した全制御ブロックの輝度値Ｌと、輝度値の算出に用いた温度補償係数Ｃを保持する。（Ｓ７０４）
バックライト制御部１０７は、輝度値算出部１０５から取得する輝度値Ｌに基づき、数４の式を用いて、バックライト制御値ＰＷＭを算出する。（Ｓ７０５）
バックライト制御部１０７は、算出したバックライト制御値をバックライト部１０８に設定し、バックライト部１０８の発光量制御を行う。（Ｓ７０６）
【００５１】
（ＦＢ２フィードバック制御動作の説明）
次に、図１、図８を用いて、ＦＢ２フィードバック制御動作を説明する。
センサ制御部１０３は、温度センサ部１０２から取得した温度センサ値を推定輝度値算出部１０６へ出力する。（Ｓ８００）
推定輝度値算出部１０６は、輝度値算出部１０５が保持する全制御ブロックの輝度値Ｌ及び温度補償係数Ｃを取得する。（Ｓ８０１）
【００５２】
推定輝度値算出部１０６は、センサ制御部１０３から取得した温度センサ値、温度センサ値に対応する温度補償係数Ｃｅ、輝度値算出部１０５から取得した輝度値Ｌ及び温度補償係数Ｃに基づき、数３の式を用いて、推定輝度値Ｌｅを算出する。（Ｓ８０２）
【００５３】
バックライト制御部１０７は、推定輝度値算出部１０６から取得する推定輝度値Ｌｅに基づき、数５の式を用いて、バックライト制御値ＰＷＭを算出する。（Ｓ８０３）
バックライト制御部１０７は、算出したバックライト制御値をバックライト部１０８に設定し、バックライト部１０８の発光量制御を行う。（Ｓ８０４）
【００５４】
以上で説明した本発明の実施例１によれば、単位時間当たりの温度変化が大きい場合は、温度センサ値のみを用いたフィードバック制御を適用する。輝度センサ値と温度センサ値を用いるフィードバック制御では、全制御ブロックの輝度センサ値を取得するのに上記の例では１０秒かかるため、１回のフィードバックに約１０秒かかる。これに対し、温度センサ値のみを用いたフィードバック制御では、全制御ブロックの温度センサ値を取得するのに上記の例では約１秒ですむため、１回のフィードバックに要する時間を短縮できる。そのため、単位時間当たりの温度変化が大きい状況におけるバックライトの輝度精度を向上させることができる。
【００５５】
本発明の実施例１では、バックライト光源にＷＬＥＤを用いた例を説明したが、ＲＧＢＬＥＤを用いた構成にも本発明を適用できる。その場合、Ｒ、Ｇ、ＢごとにＬＥＤの温度特性が異なることがあるため、Ｒ，Ｇ，Ｂの色ごとの温度補償係数を用いると精度良くフィードバック制御を行うことができる。なお、実施例１では、温度変化の速度が速い場合には温度センサ値のみを用いて各制御ブロックの輝度値を推定し、推定した輝度値に基づき輝度のフィードバック制御を行う例を説明した。
【００５６】
（実施例２）
次に、本発明の実施例２について説明する。
（構成の説明）
図９は、本発明の実施例２の表示装置のブロック図である。なお、本発明の実施例１と同様な機能・動作を行う機能ブロック図は、同一符号を付し説明を省略する。本発明の実施例１では、バックライト筐体内の単位時間当たりの温度変化量に応じて、フィードバッ
ク制御を切り替える例を説明した。これに対して実施例２では、表示装置の状態を検出し、特定の状態を検出した場合に、単位時間当たりの温度変化量に関わらず、フィードバック制御を切り替える例を説明する。
【００５７】
ＦＢ制御切替判定部９０１は、後述する表示装置状態検出部９０２からの状態検出情報の通知を受信した場合、センサ制御部１０３へＦＢ２切替制御信号を出力する。なお、本発明の実施例１では、ＦＢ制御切替判定部１０４は、表示装置１００の起動時、又は待機状態からの復帰時に、初期値設定としてＦＢ１切替制御信号をセンサ制御部１０３へ出力する例を説明したが、実施例２では初期値の設定は行わない。
【００５８】
表示装置状態検出部９０２は、表示装置９００の所定の状態を検出し、ＦＢ制御切替判定部９０１へ状態検出情報を通知する。表示装置状態検出部９０２は、例えば、表示装置９００の起動時、待機状態からの復帰時、縦横回転時（設置角度が変化した時）の状態を所定の状態として検出し、状態検出情報を通知する。ここで縦横回転とは、図１０（Ａ）に示すように表示装置９００の画面が横長になる状態と、図１０（Ｂ）に示すように表示装置９００の画面が縦長になる状態と、を画面をスタンド１０００に対して回転させることで切り替えることである。
【００５９】
実施例２では、検出する状態として、起動、復帰、縦横回転としたが、その他にも、バックライト筐体内の単位時間当たりの温度変化量が大きくなる状態を追加しても良い。なお、実施例２における表示装置９００、ＦＢ制御切替判定部９０１は、特に記載がない限り、本発明の実施例１における表示装置１００、ＦＢ制御切替判定部１０４と同様の機能・動作である。
【００６０】
（全体動作の説明）
次に、図９、図１１を用いて表示装置９００におけるバックライト制御動作について説明する。Ｓ１１００、Ｓ１１０１は、本発明の実施例１で説明した図６におけるＳ６００、Ｓ６０１と同じ動作であるため、説明を省略する。
ＦＢ制御切替判定部９０１は、表示装置状態検出部９０２から状態検出情報の通知を受信したかを判断する。（Ｓ１１０２）
【００６１】
表示装置状態検出部９０２から状態検出情報の通知を受信した場合は、ＦＢ制御切替判定部９０１は、センサ制御部１０３へＦＢ２切替制御信号を出力する。（Ｓ１１０９）
表示装置状態検出部９０２から状態検出情報の通知を受信していない場合は、センサ制御部１０３が温度センサ値をＦＢ制御切替判定部９０１へ出力する。ＦＢ制御切替判定部９０１は、前回取得した温度センサ値と今回取得した温度センサ値に基づき、単位時間当たりの温度変化量（温度変化の速さ）を算出する。（Ｓ１１０３）
なお、Ｓ１１０３以降のＳ１１０４〜Ｓ１１１２の処理は、本発明の実施例１で説明した図６におけるＳ６０３〜Ｓ６１１の処理と同じであるため、説明を省略する。
【００６２】
以上で説明した本発明の実施例２によれば、起動時、復帰時、縦横回転時等、バックライト筐体内の単位時間当たりの温度変化量が大きくなる状態を検出した場合、温度センサ値のみを用いたフィードバック制御に切り替える。これにより、単位時間当たりの温度変化量を算出してフィードバック制御を切り替えるよりも、早期に、単位時間当たりの温度変化量が大きくなる可能性が高い状況において、温度センサ値に基づく速いフィードバック制御に切り替えることができる。従って、単位時間当たりの温度変化量が大きくなる可能性が高い状況において、精度良く輝度制御を行うことができる。
【００６３】
（実施例３）
次に、本発明の実施例３について説明する。
図１２は、本発明の実施例３の表示装置のブロック図である。なお、本発明の実施例１と同様な機能・動作を行う機能ブロック図は、同一符号を付し説明を省略する。
【００６４】
本発明の実施例１では、バックライト筐体内の単位時間当たりの温度変化量に応じて、全制御ブロックの輝度センサ値及び温度センサ値を用いるフィードバック制御と、全制御ブロックの温度センサ値のみを用いるフィードバック制御とを切り替える例を説明した。これに対して実施例３では、バックライト筐体内の単位時間当たりの温度変化量に応じて切り替えるフィードバック制御の方式として、次のフィードバック制御を追加する。すなわち、全制御ブロックのうち一部の制御ブロックを代表制御ブロックとし、代表制御ブロックのみ輝度センサ値を取得し、全制御ブロックの温度センサ値を取得して、各制御ブロックの輝度を算出し、フィードバック制御を行う。
【００６５】
センサ制御部１２０１は、ＦＢ制御切替判定部１２０２から出力される制御信号がＦＢ３切替制御信号の場合、バックライト部１０８における代表する制御ブロックの輝度センサ値を輝度センサ部１０１から取得、保持する。また、全制御ブロックの温度センサ値を温度センサ部１０２から取得、保持する。
ここで図１３は、輝度センサ値を取得する代表制御ブロックの一例を示す図である。輝度センサ値を取得する代表制御ブロックについて図１３を用いて説明する。
【００６６】
バックライト部１０８を、２行２列の４個の制御ブロックからなる輝度センサ値算出領域（図１３の実線１３００で囲まれた範囲）により分割する。実施例３では、全制御ブロックは６４０個であるから、輝度センサ値算出領域は計１６０個である。各輝度センサ値算出領域における左上部の制御ブロック（図１３のハッチング部１３０１）を、輝度センサ値を取得する代表制御ブロックとする。つまり、輝度センサ値を取得する代表制御ブロックは計１６０個である。なお、実施例３では、代表制御ブロックの決め方は一例であって図１３に示した例に限られない。
【００６７】
センサ制御部１２０１は、輝度センサ値を取得する代表制御ブロックを決定し、当該制御ブロックの情報をバックライト制御部１０７へ通知する。センサ制御部１２０１は、バックライト制御部１０７からの輝度センサ値取得可能信号をトリガ―とし、輝度センサ値を取得、保持する。なお、センサ制御部１２０１は、実施例１におけるＦＢ１切替制御信号受信時と同様に、輝度センサ値を取得する前に温度センサ値の取得を行う。また輝度センサ値及び温度センサ値の取得順番は、本発明の実施例１と同様に、左上部から右下部に向かう順番とする。
【００６８】
センサ制御部１２０１は、取得した温度センサ値をＦＢ制御切替判定部１２０２へ出力すると共に、取得した代表制御ブロックの輝度センサ値、全制御ブロックの温度センサ値を第２輝度値算出部１２０３へ出力する。センサ制御部１２０１は、センサ値を出力後、保持しているセンサ値を消去し、センサ値の取得処理を再開する。ＦＢ制御切替判定部１２０２は、ＦＢ制御切替判定の結果に応じて、センサ制御部１２０１へ制御信号を出力する。なお、実施例３におけるＦＢ制御切替判定方法の詳細は後述する。
【００６９】
第２輝度値算出部１２０３は、センサ制御部１２０１から取得した代表制御ブロックの輝度センサ値に基づき、全制御ブロックの第２輝度センサ値を算出する。第２輝度値算出部１２０３は、算出した第２輝度センサ値、センサ制御部１２０１から取得した温度センサ値に基づき、第２輝度値を算出する。第２輝度値算出部１２０３は、算出した第２輝度値をバックライト制御部１２０４へ出力する。なお、第２輝度センサ値の算出方法及び第２輝度値の算出方法は後述する。
【００７０】
バックライト制御部１２０４は、第２輝度値算出部１２０３から取得した第２輝度値に
基づき、バックライト制御値を算出する。なお、バックライト制御値算出方法は後述する。
【００７１】
（ＦＢ制御切替判定方法の説明）
次に、図１２、図１４を用いて実施例３におけるＦＢ制御切替判定方法について説明する。
実施例３では、実施例１と同様、ＦＢ制御切替判定部１２０２は、算出した全制御ブロックの温度変化量の絶対値と、判定閾値と、を用いてＦＢ制御切替判定を行う。また、実施例１と同様に、ＦＢ制御切替判定部１２０２がセンサ制御部１２０１へ出力する制御信号に応じて判定閾値を異ならせる。ＦＢ制御切替判定部１２０２は、ＦＢ１切替制御信号を出力している場合、ＦＢ１制御時判定閾値１とＦＢ１制御時判定閾値２を用いて判定を行う。ＦＢ制御切替判定部１２０２は、ＦＢ２切替制御信号を出力している場合、ＦＢ２制御時判定閾値１とＦＢ２制御時判定閾値２を用いて判定を行う。ＦＢ制御切替判定部１２０２は、ＦＢ３切替制御信号を出力している場合、ＦＢ３制御時判定閾値１とＦＢ３制御時判定閾値２を用いて判定を行う。
【００７２】
図１４は、ＦＢ制御切替判定部１２０２の判定方法を示す図である。以下、図１４を用いてＦＢ制御切替判定方法を説明する。出力制御信号１４００は、判定時にＦＢ制御切替判定部１２０２が出力している制御信号を示す。判定閾値１４０１は、判定時にＦＢ制御切替判定部１２０２が出力している制御信号に応じたＦＢ制御切替判定に用いる判定閾値を示す。判定結果１４０２は、算出された各制御ブロックの温度変化量の絶対値が、判定閾値以上か否かに応じて、ＦＢ制御切替判定部１２０２が出力する制御信号を示す。
【００７３】
実施例３における各判定閾値の一例を図１５に示す。ＦＢ１切替制御信号出力時の温度センサ値取得周期を１０秒、ＦＢ２切替制御信号出力時の温度センサ値取得周期を１秒、ＦＢ３切替制御出力時の温度センサ値取得周期を４秒とする。図１５の各制御信号出力時の判定閾値１は、１０秒間で２．５℃以上の温度変化があるかを判定する閾値（第２の閾値）であり、各制御信号出力時の判定閾値２は、１０秒間で５℃以上の温度変化があるかを判定する閾値（第１の閾値）である。ＦＢ制御切替判定部１２０２は、１０秒間で５℃以上の温度変化量がある場合（温度変化の速さが第１の閾値以上）、ＦＢ２切替制御信号を出力する。１０秒間で２．５℃より小さい温度変化量の場合（温度変化の速さが第２の閾値より小さい）、ＦＢ１切替制御信号を出力する。上記以外の温度変化量、つまり１０秒間で２．５〜５℃の温度変化量の場合（温度変化の速さが第１の閾値より小さく、第２の閾値以上）、ＦＢ３切替制御信号を出力する。なお、図１５に示す各判定閾値は一例であってこれに限られない。
（第２輝度センサ値算出方法の説明）
【００７４】
次に、図１２、図１６を用いて第２輝度センサ値算出方法について説明する。
第２輝度値算出部１２０３は、第２輝度センサ値算出テーブルを持つ。第２輝度値算出部１２０３は、センサ制御部１２０１から取得した代表制御ブロックの輝度センサ値、第２輝度センサ値算出テーブルに基づき、全制御ブロックの第２輝度センサ値を算出する。
【００７５】
図１６に第２輝度センサ値算出テーブルの一例を示す。輝度センサ値算出領域１６００は、２行２列の４個の制御ブロックからなる輝度センサ値算出領域を示す。制御ブロック１６０１は、各輝度センサ値算出領域に含まれる制御ブロックを示す。第２輝度センサ値算出係数１６０２は、各制御ブロックに対応する第２輝度センサ値算出係数を示す。第２輝度センサ値算出係数は、各輝度センサ値算出領域において、代表制御ブロックの輝度センサ値を「１」とした場合の、輝度センサ値算出領域に含まれる各制御ブロックの輝度センサ値の相対値を示す。第２輝度センサ値算出テーブルは、例えば工場出荷時に、ＬＥＤを単体点灯し、輝度センサ値を取得することで作成される。
【００７６】
第２輝度値算出部１２０３は、下記算出式を用いて全制御ブロックの第２輝度センサ値を算出する。
【数６】
2015197605.tif 000008
ここでｌｃａｌは第２輝度センサ値、ｌｓｅｌは代表制御ブロックの輝度センサ値、ｋは各制御ブロックに対応する第２輝度センサ値算出係数を示す。
【００７７】
（第２輝度値算出方法の説明）
次に、図１２を用いて第２輝度値算出方法について説明する。第２輝度値算出部１２０３は、本発明の実施例１における輝度値算出部１０５、推定輝度値算出部１０６と同様に、温度補償係数テーブルを持つ。なお、温度補償係数テーブルの説明は、本発明の実施例１と同様のため、説明を省略する。第２輝度値算出部１２０３は、センサ制御部１２０１から取得した温度センサ値、算出した第２輝度センサ値、温度補償係数テーブルに基づき、下記の算出式を用いて全制御ブロックの第２輝度値を算出する。
【数７】
2015197605.tif 000009
ここでＬｃａｌは第２輝度値、Ｃは温度補償係数、ｌｃａｌは第２輝度センサ値を示す。
【００７８】
（バックライト制御値算出方法の説明）
次に、図１２を用いてバックライト制御値算出方法について説明する。バックライト制御部１２０４は、制御値算出テーブル、第２輝度値算出部１２０３から取得する第２輝度値に基づき、下記の式を用いて、全制御ブロックのバックライト制御値を算出する。
【数８】
2015197605.tif 000010
【００７９】
実施例３の表示装置１２００、センサ制御部１２０１、ＦＢ制御切替判定部１２０２、バックライト制御部１２０４は、特に記載がない限り、実施例１の表示装置１００、センサ制御部１０３、バックライト制御部１０７と同様な機能・動作を有するものとする。
【００８０】
（全体動作の説明）
次に、図１２、図１７を用いて表示装置１２００におけるバックライト制御動作について説明する。
Ｓ１７００、Ｓ１７０１、Ｓ１７０２は、本発明の実施例１で説明した図６におけるＳ６００、Ｓ６０１、Ｓ６０２と同じ動作であるため、説明を省略する。
ＦＢ制御切替判定部１２０２は、センサ制御部１２０１へ出力している制御信号が、ＦＢ１切替制御信号か否かを判断する。（Ｓ１７０３）
Ｓ１７０３において、センサ制御部１２０１へ出力している制御信号がＦＢ１切替制御信号である場合、ＦＢ制御切替判定部１２０２は、ＦＢ１制御時判定閾値１、２を用いてＦＢ制御切替判定を実施する。（１７０５）
【００８１】
Ｓ１７０３において、センサ制御部１２０１へ出力している制御信号がＦＢ１切替制御信号でない場合、ＦＢ制御切替判定部１２０２は、該制御信号がＦＢ２切替制御信号か否かを判断する。（Ｓ１７０４）
Ｓ１７０４において、センサ制御部１２０１へ出力している制御信号がＦＢ２切替制御信号である場合、ＦＢ制御切替判定部１２０２は、ＦＢ２制御時判定閾値１、２を用いてＦＢ制御切替判定を実施する。（Ｓ１７０６）
Ｓ１７０４において、センサ制御部１２０１へ出力している制御信号がＦＢ２切替制御信号でない場合、ＦＢ制御切替判定部１２０２は、ＦＢ３制御時判定閾値１、２を用いてＦＢ制御切替判定を実施する。（Ｓ１７０７）
【００８２】
ＦＢ制御切替判定部１２０２は、算出した温度変化量と判定閾値に基づき、全制御ブロックの温度変化量が判定閾値１より小さいかを判断する。（Ｓ１７０８）
Ｓ１７０８において、全制御ブロックの温度変化量が判定閾値１より小さい場合、ＦＢ制御切替判定部１２０２は、センサ制御部１２０１へＦＢ１切替制御信号を出力する。（Ｓ１７１０）
Ｓ１７０８において、温度変化量が判定閾値１以上の制御ブロックがある場合、ＦＢ制御切替判定部１２０２は、温度変化量が判定閾値２以上の制御ブロックが存在するかを判断する。（Ｓ１７０９）
Ｓ１７０９において、温度変化量が判定閾値２以上の制御ブロックが存在する場合、ＦＢ制御切替判定部１２０２は、センサ制御部１２０１へＦＢ２切替制御信号を出力する。（Ｓ１７１１）
Ｓ１７０９において、温度変化量が判定閾値２以上の制御ブロックが存在しない場合、ＦＢ制御切替判定部１２０２は、センサ制御部１２０１へＦＢ３切替制御信号を出力する。（Ｓ１７１２）
【００８３】
センサ制御部１２０１は、ＦＢ制御切替判定部１２０２から取得する制御信号が、ＦＢ１切替制御信号か否かを判断する。（Ｓ１７１３）
Ｓ１７１３において、ＦＢ制御切替判定部１２０２から取得する制御信号が、ＦＢ１切替制御信号である場合、ＦＢ１フィードバック制御が実施される。（Ｓ１７１５）なお、ＦＢ１フィードバック制御の動作は、本発明の実施例１と同じであるため、説明を省略する。
Ｓ１７１３において、ＦＢ制御切替判定部１２０２から取得する制御信号が、ＦＢ１切替制御信号でない場合、センサ制御部１２０１は、該制御信号がＦＢ２切替制御信号か否かを判断する。（Ｓ１７１４）
【００８４】
Ｓ１７１４において、ＦＢ制御切替判定部１２０２から取得する制御信号が、ＦＢ２切替制御信号である場合、ＦＢ２フィードバック制御が実施される。（Ｓ１７１６）なお、ＦＢ２フィードバック制御の動作は、本発明の実施例１と同じであるため、説明を省略する。
Ｓ１７１４において、ＦＢ制御切替判定部１２０２から取得する制御信号が、ＦＢ２切替制御信号でない場合、ＦＢ３フィードバック制御が実施される。（Ｓ１７１７）
なお、ＦＢ３フィードバック制御の動作説明は後述する。
【００８５】
（ＦＢ３フィードバック制御動作の説明）
次に、図１２、図１８を用いてＦＢ３フィードバック制御の動作を説明する。
センサ制御部１２０１は、温度センサ部１０２から温度センサ値を取得する。（Ｓ１８００１）
センサ制御部１２０１は、輝度センサ部１０１から代表制御ブロックの輝度センサ値を取得する。（Ｓ１８００２）
センサ制御部１２０１は、全代表制御ブロックの輝度センサ値及び全制御ブロックの温
度センサ値を取得したかを判断する。（Ｓ１８０１）全代表制御ブロックの輝度センサ値及び全制御ブロックの温度センサ値を取得していない場合は、Ｓ１８００へ戻る。
【００８６】
全代表制御ブロックの輝度センサ値を取得した場合、センサ制御部１２０１は、代表制御ブロックの輝度センサ値と、輝度センサ値取得前に取得した全制御ブロックの温度センサ値を、第２輝度値算出部１２０３へ出力する。（Ｓ１８０２）
第２輝度値算出部１２０３は、センサ制御部１２０１から取得した代表制御ブロックの輝度センサ値から、全制御ブロックの第２輝度センサ値を算出する。（Ｓ１８０３）
第２輝度値算出部１２０３は、算出した全制御ブロックの第２輝度センサ値と、センサ制御部１２０１から取得した全制御ブロックの温度センサ値に基づき、全制御ブロックの第２輝度値を算出する。（Ｓ１８０４）
【００８７】
バックライト制御部１２０４は、第２輝度値算出部１２０３から取得する第２輝度値に基づき、バックライト制御値を算出する。（Ｓ１８０５）
バックライト制御部１２０４は、算出したバックライト制御値をバックライト部１０８に設定し、バックライト部１０８の発光量制御を行う。（Ｓ１８０６）
【００８８】
以上で説明した本発明の実施例３によれば、単位時間当たり温度変化量が大きくなるにつれて、フィードバック制御に用いる輝度センサ値の取得数を減らすが、全制御ブロックではないものの、代表制御ブロックについては輝度センサ値を取得することができる。そのため、輝度センサ値取得に要する時間を短縮しつつ、輝度センサ値に基づく算出により求められた制御ブロックの輝度値（第２輝度値）に基づきフィードバック制御を行うことができる。これにより、単位時間当たりの温度変化量が大きい場合におけるバックライトの輝度精度を向上することができる。
【００８９】
本発明の実施例３では、輝度センサ値の取得数を減らしたフィードバック制御の一例として、ＦＢ３フィードバック制御のみを実施したが、輝度センサ値の取得数を異ならせた複数種類のフィードバック制御を実施しても良い。なお、その場合は、フィードバック制御の種類に応じた判定閾値と、輝度センサ値の取得位置、取得数量に応じた第２輝度センサ値算出テーブルを用いる。実施例３では、複数の制御ブロックで代表制御ブロックを設定し、代表制御ブロック１つにつき１つの割合で輝度センサ値を取得することにより、輝度センサ値の取得数を削減する例を説明した。輝度センサ値の取得数を減らす方法はこれに限らない。実施例３で説明したように、輝度センサ値を取得しない制御ブロックの輝度値を、取得した輝度センサ値から計算によって求められるように、適宜、どの制御ブロックの輝度センサ値を取得するか設定すればよい。
【００９０】
＜その他の実施形態＞
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（Central Processing Unit）、ＭＰＵ（Micro Processing Unit）、その他の回路により構成される。更に別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えば
ＣＤ（Compact Disc）、ＤＶＤ（Digital Versatile Disc）、ＢＤ（Blu-ray（登録商標
）Disc））、フラッシュメモリ、メモリカードを含んでも良い。実施例を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００９１】
１０１：輝度センサ部、１０２：温度センサ部、１０５：輝度値算出部、１０６：推定輝度値算出部、１０７：バックライト制御部、１０８：バックライト部
【図１】
2015197605.tif 000011
【図２】
2015197605.tif 000012
【図３】
2015197605.tif 000013
【図４】
2015197605.tif 000014
【図５】
2015197605.tif 000015
【図６】
2015197605.tif 000016
【図７】
2015197605.tif 000017
【図８】
2015197605.tif 000018
【図９】
2015197605.tif 000019
【図１０】
2015197605.tif 000020
【図１１】
2015197605.tif 000021
【図１２】
2015197605.tif 000022
【図１３】
2015197605.tif 000023
【図１４】
2015197605.tif 000024
【図１５】
2015197605.tif 000025
【図１６】
2015197605.tif 000026
【図１７】
2015197605.tif 000027
【図１８】
2015197605.tif 000028
【図１９】
2015197605.tif 000029
【図２０】
2015197605.tif 000030